【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
表示素子のアレイとタッチ検出電極のアレイが配置されたパネルモジュールを駆動制御する駆動制御デバイスであって、
表示駆動期間に前記表示素子のアレイにおける表示ラインの選択と選択される表示ラインに表示信号を与えて表示制御を行う表示制御部と、
非表示駆動期間に前記タッチ検出電極を用いたタッチ検出制御を行うタッチ制御部と、を含み、
前記表示制御部は、表示フレーム期間の両ブランク期間に挟まれた期間内に非表示駆動期間と表示駆動期間を交互に複数回生成し、前記非表示駆動期間にタッチ検出制御を前記タッチ制御部に指示すると共に前記表示駆動期間毎に表示制御を行う第１フレームモードと、表示フレーム期間の両ブランク期間に挟まれた期間内に非表示駆動期間とそれに続く一つの表示駆動期間を生成し、前記非表示駆動期間には前記タッチ制御部にタッチ検出制御を指示せず前記表示駆動期間に表示制御を行う第２フレームモードとで前記非表示駆動期間と前記表示駆動期間とを生成可能に構成された制御回路を含み、
前記制御回路は、前記第１フレームモードを連続させる場合に表示フレーム期間単位で前記表示駆動期間の開始タイミングとこれに続く前記非表示駆動期間の開始タイミングを変化させる、
駆動制御デバイス。
【請求項２】
前記表示制御部は、前記表示ラインを切り替える周期に同期する表示ラインクロック信号を生成するクロックパルスジェネレータを更に備え、
前記クロックパルスジェネレータは、前記第１フレームモードにおいて第１周期の表示ラインクロック信号を出力し、前記第２フレームモードにおいて前記第１周期よりも長い第２周期の表示ラインクロック信号を出力する
請求項１に記載の駆動制御デバイス。
【請求項３】
前記表示制御部は、表示素子の走査線を順次選択するための走査線選択クロック信号をパネルモジュールに出力する走査線選択回路と、選択された走査線の表示素子に表示駆動信号を供給する信号線駆動回路とを有し、
前記走査線選択回路は前記表示ラインクロック信号に同期して前記走査線選択クロック信号をパルス変化させ、前記信号線駆動回路は前記表示ラインクロック信号に同期して前記表示駆動信号を切り替え、
前記走査線選択回路は、前記表示駆動信号の出力が切り替わるタイミングから前記走査線選択クロック信号の走査線非選択のパルス変化までの第１インターバルが、前記表示ラインクロック信号の周期が前記第１周期の場合と前記第２周期の場合との何れにおいても等しくなるように前記走査線選択クロック信号を出力する、
請求項２に記載の駆動制御デバイス。
【請求項４】
前記第１インターバルは第２インターバルに対する第３インターバルの差であり、
前記走査線選択回路は、前記表示ラインクロック信号のパルス変化から前記第２インターバルが経過したタイミングで前記走査線選択クロック信号を走査線非選択のパルス変化させ、
前記信号線駆動回路は前記表示ラインクロック信号のパルス変化から前記第３インターバルが経過したタイミングで表示駆動信号の出力を切り替える、
請求項３に記載の駆動制御デバイス。
【請求項５】
前記制御回路は、前記クロックパルスジェネレータに前記第１周期と前記第２周期を指示し、前記走査線選択回路に前記第２インターバルを指示し、前記信号線駆動回路に前記第３インターバルを指示する、
請求項４に記載の駆動制御デバイス。
【請求項６】
前記制御回路は、前記第１周期を指定する第１制御データ、前記第２周期を指定する第２制御データ、前記第２インターバルを指定する第３制御データ、及び前記第３インターバルを指定する第４制御データが書換え可能に設定されるクロック制御レジスタを有すると共に、当該クロック制御レジスタに設定された前記第１制御データ乃至前記第４制御データに基づいて、前記第１周期、前記第２周期、前記第２インターバル及び前記第３インターバルを指示する、
請求項５に記載の駆動制御デバイス。
【請求項７】
前記タッチ制御部によるタッチ検出制御で得られた信号に基づいてタッチの有無を判別するマイクロプロセッサを更に含み、前記マイクロプロセッサが、前記クロック制御レジスタに前記第１制御データ乃至第４制御データを設定する、
請求項６に記載の駆動制御デバイス。
【請求項８】
前記表示制御部は、前記第２周期よりも長い周期の外部水平同期信号に同期して表示データが書き込まれ、前記表示ラインクロック信号に同期して表示データが読み出されるバッファメモリを有し、
前記第１周期は、前記第１フレームモードにおいて表示フレーム期間中に表示データが書き込まれた前記バッファメモリが、表示駆動期間による断続的で書き込みよりも速い速度による読み出し動作によってエンプティー状態にならないことを保証する周期であり、
前記第２周期は、前記第２フレームモードにおいて表示フレーム期間中に表示データが書き込まれた前記バッファメモリが、表示駆動期間における連続的で書き込みよりも速い速度による読み出し動作によってエンプティー状態にならないことを保証する周期である、
請求項２乃至７のいずれか１項に記載の駆動制御デバイス。
【請求項９】
前記制御回路は、前記表示フレーム期間単位で前記表示駆動期間と前記非表示駆動期間の開始タイミングを相違させる制御として、前記表示フレーム期間毎に最初の表示期間を所定期間漸増させ、最後の表示期間を前記所定期間短縮する制御を行う、
請求項１乃至８のいずれか１項に記載の駆動制御デバイス。
【請求項１０】
前記表示制御部は、前記第１フレームモードに対応して前記表示フレーム期間単位での前記表示駆動期間及びこれに続く非表示駆動期間の開始タイミングを規定するための第５制御データと、前記第２フレームモードに対応して前記表示フレーム期間単位での前記表示駆動期間の開始タイミングを規定するための第６制御データを書換え可能に保持する開始タイミングレジスタと、
指定された表示モードに従って前記開始タイミングレジスタから前記第５制御データ又は前記第６制御データを選択し、選択した制御データに基づいて表示フレーム期間内における表示駆動期間及び非表示駆動期間の夫々に応ずる制御信号を生成する制御論理と、を有し、
更に、前記タッチ制御部によるタッチ検出制御で得られた信号に基づいてタッチの有無を判別するマイクロプロセッサを含み、このマイクロプロセッサが前記表示モードを指定する、
請求項２乃至８のいずれか１項に記載の駆動制御デバイス。
【請求項１１】
前記マイクロプロセッサが、前記開始タイミングレジスタに前記第５制御データ及び前記第６制御データを設定する、
請求項１０に記載の駆動制御デバイス。
【請求項１２】
前記第５制御データ及び前記第６制御データは、前記表示ラインクロック信号のクロックサイクル数によって前記表示駆動期間及び前記非表示駆動期間の開始タイミングを規定するデータである、
請求項１０又は１１に記載の駆動制御デバイス。
【請求項１３】
前記制御論理は、
前記マイクロプロセッサによって指定され表示モードに従って表示フレーム期間毎に前記第５制御データ及び前記第６制御データの中から必要なデータを選択する第１制御論理と、
前記表示フレーム期間毎に表示ラインクロック信号のサイクル数を計数しながら、前記第１制御論理で選択したデータが規定する表示フレーム期間内における表示駆動期間及び非表示駆動期間の夫々の開始タイミングにその計数値が到達することに応じて順次状態信号を生成する第２制御論理と、
前記状態信号を受け取り、受け取った状態信号に応じて表示制御信号を生成する第３制御論理と、を有し、
前記タッチ制御部は、前記状態信号を受け取り、受け取った状態信号に応じてタッチ検出制御に必要なタッチ制御信号を生成する、
請求項１０乃至１２のいずれか１項に記載の駆動制御デバイス。
【請求項１４】
前記タッチ制御部によるタッチ検出制御で得られた信号に基づいてタッチの有無を判別するマイクロプロセッサを更に含み、
前記マイクロプロセッサは、リセット処理に続いて前記表示制御部に前記複数の表示フレーム期間を単位とした前記第２フレームモードをその一部の表示フレーム期間で実行し、最後の表示フレーム期間で前記第１フレームモードをその一つの表示フレーム期間で実行する第２表示モードを通知し、前記第２表示モードの通知後にタッチ有りが検出されることにより前記表示制御部に前記複数の表示フレーム期間を単位とした前記第１フレームモードを連続させる第１表示モードを通知し、前記第１表示モードの通知後にタッチ有りが検出されることなく所定時間が経過したとき前記表示制御部に前記第２表示モードを通知する、
請求項１乃至９のいずれか１項に記載の駆動制御デバイス。
【請求項１５】
表示素子のアレイとタッチ検出電極のアレイが配置されたパネルモジュールと、
前記パネルモジュールを駆動制御する、請求項１乃至１４のいずれか１項に記載の駆動制御デバイスと、
前記駆動制御デバイスに表示データを供給するホスト装置と、を含む、
電子機器。